(57)【要約】【課題】表示画像を適正に検証することができる画像検証システム及び画像検証装置を提供する。【解決手段】画像生成部１１は、矩形状とは異なる形状の表示画像を生成する。ディスプレイ１３は、画像生成部１１により生成された表示画像を表示する。画像キャプチャ装置１２は、画像生成部１１により生成されディスプレイ１３に入力される表示画像を含む矩形状のキャプチャ画像を外部に転送する。画像入力装置２２は、画像キャプチャ装置１２から転送されたキャプチャ画像を入力する。マスク処理部２３は、画像入力装置２２により入力したキャプチャ画像において、表示画像以外の部分をマスク処理したキャプチャ補正画像を生成する。画像比較部２４は、予め定められた矩形状の基準画像に基づいて、マスク処理部２３により生成されたキャプチャ補正画像を検証する。【選択図】図１
2019113927.tif 000002
【特許請求の範囲】
【請求項１】
矩形状とは異なる形状の表示画像を生成する画像生成部、前記画像生成部により生成された前記表示画像を表示する表示部、及び、前記画像生成部により生成され前記表示部に入力される前記表示画像を含む矩形状のキャプチャ画像を外部に転送する転送部を有する表示装置と、
前記転送部から転送された前記キャプチャ画像を入力する入力部、前記入力部により入力した前記キャプチャ画像において前記表示画像以外の部分をマスク処理したキャプチャ補正画像を生成するマスク処理部、及び、予め定められた矩形状の基準画像に基づいて前記マスク処理部により生成された前記キャプチャ補正画像を検証する検証部を有する画像検証装置と、
を備えることを特徴とする画像検証システム。
【請求項２】
前記キャプチャ画像は、前記表示画像、及び、前記表示画像以外の部分に位置し前記表示部に表示されない非表示画像を含んで構成され、前記表示画像と前記非表示画像とによって矩形状を成し、
前記基準画像は、予め定められ前記表示画像の基準となる基準表示画像、及び、予め定められたマスク画像を含んで構成され、
前記マスク処理部は、前記入力部により入力した前記キャプチャ画像において前記非表示画像を前記マスク画像によりマスク処理して前記キャプチャ補正画像を生成する請求項１に記載の画像検証システム。
【請求項３】
前記転送部は、同一の前記表示画像が連続して生成される場合、既に転送済みの前記表示画像と同一の前記表示画像を転送しない請求項１又は２に記載の画像検証システム。
【請求項４】
前記表示装置は、車両に搭載され、
前記表示部は、少なくとも前記車両の計測値に関する前記表示画像を表示する請求項１〜３のいずれか１項に記載の画像検証システム。
【請求項５】
矩形状とは異なる形状の表示画像を生成し、生成された前記表示画像を表示し、前記表示画像を表示する場合に入力される前記表示画像を含む矩形状のキャプチャ画像を外部に転送する表示装置から転送された前記キャプチャ画像を入力する入力部と、
前記入力部により入力した前記キャプチャ画像において前記表示画像以外の部分をマスク処理したキャプチャ補正画像を生成するマスク処理部と、
予め定められた矩形状の基準画像に基づいて前記マスク処理部により生成された前記キャプチャ補正画像を検証する検証部と、
を備えることを特徴とする画像検証装置。
【発明の詳細な説明】
【技術分野】
【０００１】
本発明は、画像検証システム、及び、画像検証装置に関する。
【背景技術】
【０００２】
従来、画像検証システムは、例えば、車両に搭載され車速等をディスプレイの表示画面に画像表示する車載メータと、表示画面に表示される表示画像が適正に表示されることを検証する画像検証装置とを備えている。車載メータは、ディスプレイに表示される表示画像をキャプチャしたキャプチャ画像を画像検証装置に転送する。画像検証装置は、予め定められた基準画像に基づいて、車載メータから転送されたキャプチャ画像を検証する。なお、特許文献１には、液晶表示装置を有する自動車用メータが開示されている。
【先行技術文献】
【特許文献】
【０００３】
【特許文献１】特開２０１４−１７７２４４号公報
【発明の概要】
【発明が解決しようとする課題】
【０００４】
ところで、車載メータは、従来、ディスプレイの表示画面が矩形状のものが多かったが、近年、ディスプレイの表示画面が矩形状以外の様々な形状のものが増えている。この場合でも、画像検証装置は、予め定められた基準画像に基づいて、車載メータから転送されたキャプチャ画像を適正に検証することが望まれている。
【０００５】
そこで、本発明は、上記に鑑みてなされたものであって、表示画像を適正に検証することができる画像検証システム、及び、画像検証装置を提供することを目的とする。
【課題を解決するための手段】
【０００６】
上述した課題を解決し、目的を達成するために、本発明に係る画像検証システムは、矩形状とは異なる形状の表示画像を生成する画像生成部、前記画像生成部により生成された前記表示画像を表示する表示部、及び、前記画像生成部により生成され前記表示部に入力される前記表示画像を含む矩形状のキャプチャ画像を外部に転送する転送部を有する表示装置と、前記転送部から転送された前記キャプチャ画像を入力する入力部、前記入力部により入力した前記キャプチャ画像において前記表示画像以外の部分をマスク処理したキャプチャ補正画像を生成するマスク処理部、及び、予め定められた矩形状の基準画像に基づいて前記マスク処理部により生成された前記キャプチャ補正画像を検証する検証部を有する画像検証装置と、を備えることを特徴とする。
【０００７】
上記画像検証システムにおいて、前記キャプチャ画像は、前記表示画像、及び、前記表示画像以外の部分に位置し前記表示部に表示されない非表示画像を含んで構成され、前記表示画像と前記非表示画像とによって矩形状を成し、前記基準画像は、予め定められ前記表示画像の基準となる基準表示画像、及び、予め定められたマスク画像を含んで構成され、前記マスク処理部は、前記入力部により入力した前記キャプチャ画像において前記非表示画像を前記マスク画像によりマスク処理して前記キャプチャ補正画像を生成することが好ましい。
【０００８】
上記画像検証システムにおいて、前記転送部は、同一の前記表示画像が連続して生成される場合、既に転送済みの前記表示画像と同一の前記表示画像を転送しないことが好ましい。
【０００９】
上記画像検証システムにおいて、前記表示装置は、車両に搭載され、前記表示部は、少なくとも前記車両の計測値に関する前記表示画像を表示することが好ましい。
【００１０】
本発明に係る画像検証装置は、矩形状とは異なる形状の表示画像を生成し、生成された前記表示画像を表示し、前記表示画像を表示する場合に入力される前記表示画像を含む矩形状のキャプチャ画像を外部に転送する表示装置から転送された前記キャプチャ画像を入力する入力部と、前記入力部により入力した前記キャプチャ画像において前記表示画像以外の部分をマスク処理したキャプチャ補正画像を生成するマスク処理部と、予め定められた矩形状の基準画像に基づいて前記マスク処理部により生成された前記キャプチャ補正画像を検証する検証部と、を備えることを特徴とする。
【発明の効果】
【００１１】
本発明に係る画像検証システム及び画像検証装置は、画素値が不定である非表示画像が含まれないキャプチャ補正画像を生成することができ、当該キャプチャ補正画像に基づいて表示画像を適正に検証することができる。
【図面の簡単な説明】
【００１２】
【図１】図１は、実施形態に係る画像検証システムの構成例を示すブロック図である。
【図２】図２は、実施形態に係るディスプレイの表示画面に表示された表示画像を示す図である。
【図３】図３は、実施形態に係るキャプチャ画像の構成例を示す図である。
【図４】図４は、実施形態に係る基準画像の構成例を示す図である。
【図５】図５は、実施形態に係るマスク画像の構成例を示す図である。
【図６】図６は、実施形態に係るキャプチャ補正画像の構成例を示す図である。
【図７】図７は、実施形態に係る画像検証システムの動作例を示すフローチャートである。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔実施形態〕
実施形態に係る画像検証システム１及び画像検証装置２０について説明する。画像検証システム１は、車載メータ１０のディスプレイ１３に表示される表示画像Ｐを検証するシステムである。画像検証システム１は、図１に示すように、表示装置としての車載メータ１０と、画像検証装置２０とを備える。車載メータ１０は、車両（図示省略）に搭載され、少なくとも車両の計測値に関する表示画像Ｐを表示する表示装置である。車載メータ１０は、車両のインストルメントパネルに設けられる。車載メータ１０は、例えば、車両の車速や走行用動力源の出力回転数等のような車両の計測値に関する情報を表示する。なお、車両の計測値は、車速や出力回転数に限定されず、他の計測値が含まれていてもよい。車載メータ１０は、画像生成部１１と、転送部としての画像キャプチャ装置１２と、表示部としてのディスプレイ１３とを有する。
【００１５】
画像生成部１１は、ディスプレイ１３に表示する表示画像Ｐを生成する装置である。画像生成部１１は、例えば、グラフィックスディスプレイコントローラ（ＧＤＣ；Ｇｒａｐｈｉｃｓ  Ｄｉｓｐｌａｙ  Ｃｏｎｔｒｏｌｌｅｒ）と称されることがある。画像生成部１１は、ＣＰＵ、ＲＯＭ、ＲＡＭ及びインターフェースを含む周知のマイクロコンピュータを主体とする電子回路を含んで構成される。画像生成部１１は、図２に示すように、ディスプレイ１３の表示画面１３ａの形状に合わせた形状の表示画像Ｐを生成する。画像生成部１１は、例えば、矩形状とは異なる形状の表示画像Ｐを生成する。本実施形態では、画像生成部１１は、ディスプレイ１３の表示画面１３ａの形状に合わせて楕円形の表示画像Ｐを生成する。画像生成部１１は、画像キャプチャ装置１２に接続され、生成した表示画像Ｐを画像キャプチャ装置１２に出力する。
【００１６】
画像キャプチャ装置１２は、画像を取得（キャプチャ）して転送する装置である。画像キャプチャ装置１２は、画像生成部１１及び画像検証装置２０に接続され、当該画像生成部１１により生成されディスプレイ１３に入力される表示画像Ｐを画像検証装置２０に転送する。画像キャプチャ装置１２は、例えば、画像生成部１１により生成された楕円形の表示画像Ｐを取得（キャプチャ）し、取得した楕円形の表示画像Ｐを含むキャプチャ画像Ｃ（図３参照）を画像検証装置２０に転送する。
【００１７】
キャプチャ画像Ｃは、例えば、矩形状に形成されている。キャプチャ画像Ｃは、表示画像Ｐ及び非表示画像Ｑを含んで構成される。非表示画像Ｑは、ディスプレイ１３に表示されない画像である。非表示画像Ｑは、当該非表示画像Ｑの画素値が不定な画像である。つまり、非表示画像Ｑは、画素値がキャプチャ画像Ｃ毎にランダムに変化する画像である。このため、画像検証装置２０は、当該非表示画像Ｑの画素値を事前に知ることができない。キャプチャ画像Ｃは、表示画像Ｐと非表示画像Ｑとによって矩形状を成す。キャプチャ画像Ｃは、表示画像Ｐがキャプチャ画像Ｃの中央に位置し、非表示画像Ｑがキャプチャ画像Ｃの表示画像Ｐ以外の部分に位置する。キャプチャ画像Ｃは、例えば、楕円形の表示画像Ｐを含むことが可能な最小の矩形状に形成されている。つまり、キャプチャ画像Ｃは、楕円形の表示画像Ｐの外周の一部が当該キャプチャ画像Ｃの各辺（４辺）に接している。この構成により、画像検証装置２０は、矩形状のキャプチャ画像Ｃを可能な限り小さくすることができ、最小限の画素比較によりキャプチャ画像Ｃの表示画像Ｐを検証することができる。
【００１８】
画像キャプチャ装置１２は、例えば、同一の表示画像Ｐが連続して生成される場合、既に転送済みの表示画像Ｐと同一の表示画像Ｐを画像検証装置２０に転送しない。画像キャプチャ装置１２は、例えば、同一の表示画像Ｐが連続して生成される場合、最初の表示画像Ｐを画像検証装置２０に転送し、残りの表示画像Ｐを画像検証装置２０に転送しない。画像キャプチャ装置１２は、例えば、表示画像Ｐ同士を比較することにより、表示画像Ｐが同一であるか否かを判定する。また、画像キャプチャ装置１２は、表示画像Ｐを異なる表示画像Ｐに切り替えることを示す信号を画像生成部１１から受信することにより表示画像Ｐが同一であるか否かを判定してもよいし、その他の方法により表示画像Ｐが同一であるか否かを判定してもよい。画像キャプチャ装置１２は、例えば、画像検証装置２０から表示画像Ｐの転送開始を示す転送開始信号を受信すると表示画像Ｐを画像検証装置２０に転送する。画像キャプチャ装置１２は、さらにディスプレイ１３に接続され、表示画像Ｐをディスプレイ１３に出力する。
【００１９】
ディスプレイ１３は、表示画像Ｐを表示する表示部である。ディスプレイ１３は、画像キャプチャ装置１２に接続され、表示画像Ｐが画像キャプチャ装置１２を介して出力される。ディスプレイ１３は、例えば、液晶ディスプレイや有機ＥＬディスプレイ等が採用されるが、これに限定されず、その他のディスプレイであってもよい。ディスプレイ１３は、画像を表示する表示画面１３ａを有する。表示画面１３ａは、矩形状とは異なる形状に形成されている。表示画面１３ａは、例えば、楕円形に形成されている（図２参照）。表示画面１３ａは、画像生成部１１により生成された表示画像Ｐを表示する。表示画面１３ａは、例えば、画像生成部１１により生成された楕円形の表示画像Ｐを当該表示画面１３ａの全域に表示する。表示画像Ｐには、例えば、車両の車速や走行用動力源の出力回転数等のような車両の計測値に関する情報が含まれる。なお、車両の計測値は、車速や出力回転数に限定されず、他の計測値が含まれていてもよい。
【００２０】
画像検証装置２０は、キャプチャ画像Ｃの表示画像Ｐを検証する装置である。画像検証装置２０は、データ記憶装置２１と、入力部としての画像入力装置２２と、マスク処理部２３と、検証部としての画像比較部２４とを有する。
【００２１】
データ記憶装置２１は、データを記憶するメモリである。データ記憶装置２１は、例えば、不揮発性のメモリであり、キャプチャ画像Ｃの表示画像Ｐを検証するための画像データやプログラム等を記憶している。データ記憶装置２１は、検証に用いられる画像データとして、例えば、予め定められた基準画像Ｂ（図４参照）を記憶している。基準画像Ｂは、後述するキャプチャ補正画像Ｃｍ（図６参照）と比較され、キャプチャ補正画像Ｃｍの表示画像Ｐが適正であるか否かを判定する基準となる画像である。基準画像Ｂは、表示画像Ｐの数に応じて複数用意される。
【００２２】
各基準画像Ｂは、図４に示すように、基準表示画像Ｐｂ及びマスク画像Ｍを含んで構成される。基準表示画像Ｐｂは、予め定められ、表示画像Ｐの基準となる画像である。つまり、基準表示画像Ｐｂは、表示画像Ｐを検証するための画像である。マスク画像Ｍは、予め定められ、キャプチャ画像Ｃの非表示画像Ｑをマスクするための画像である。マスク画像Ｍは、当該マスク画像Ｍの画素値が一定な画像である。つまり、マスク画像Ｍは、当該マスク画像Ｍの画素値が既知な画像である。マスク画像Ｍは、例えば、図５に示すように、所定の同一色が用いられ、非表示画像Ｑと同等の形状に形成されている。なお、マスク画像Ｍは、当該マスク画像Ｍの画素値が既知であれば同一色でなくてもよく、いかなる画像であってもよい。基準画像Ｂは、基準表示画像Ｐｂとマスク画像Ｍとによって矩形状を成す。基準画像Ｂとキャプチャ補正画像Ｃｍとは、基本的に同じ形状及び同じ構図により形成されている。基準画像Ｂは、基準表示画像Ｐｂが基準画像Ｂの中央に位置する。そして、基準画像Ｂは、マスク画像Ｍが基準画像Ｂの基準表示画像Ｐｂ以外の部分に位置する。基準画像Ｂは、例えば、楕円形の基準表示画像Ｐｂを含むことが可能な最小の矩形状に形成されている。つまり、基準画像Ｂは、楕円形の基準表示画像Ｐｂの外周の一部が当該基準画像Ｂの各辺（４辺）に接している。この構成により、画像検証装置２０は、矩形状の基準画像Ｂを可能な限り小さくすることができ、基準画像Ｂに基づいて最小限の画素比較によりキャプチャ補正画像Ｃｍの表示画像Ｐを検証することができる。
【００２３】
画像入力装置２２は、画像を入力する装置である。画像入力装置２２は、画像キャプチャ装置１２に有線又は無線により接続され、当該画像キャプチャ装置１２から転送されたキャプチャ画像Ｃを入力する。画像入力装置２２は、例えば、キャプチャ画像Ｃの転送開始を示す転送開始信号を画像キャプチャ装置１２に出力する。そして、画像入力装置２２は、転送開始信号を出力後、画像キャプチャ装置１２から転送されたキャプチャ画像Ｃを入力する。画像入力装置２２は、マスク処理部２３に接続され、入力したキャプチャ画像Ｃをマスク処理部２３に出力する。画像入力装置２２は、さらにデータ記憶装置２１に接続され、当該データ記憶装置２１に記憶されたマスク画像Ｍ（図５参照）を入力する。画像入力装置２２は、データ記憶装置２１から入力したマスク画像Ｍをマスク処理部２３に出力する。画像入力装置２２は、例えば、キャプチャ画像Ｃをマスク処理部２３に出力するときに、マスク画像Ｍもマスク処理部２３に出力する。
【００２４】
マスク処理部２３は、キャプチャ画像Ｃを補正したキャプチャ補正画像Ｃｍ（図６参照）を生成する処理部である。マスク処理部２３は、画像入力装置２２により入力したキャプチャ画像Ｃにおいて、表示画像Ｐ以外の部分をマスク処理したキャプチャ補正画像Ｃｍを生成する。マスク処理部２３は、例えば、キャプチャ画像Ｃの非表示画像Ｑをマスク画像Ｍによりマスク処理してキャプチャ補正画像Ｃｍを生成する。具体的には、マスク処理部２３は、キャプチャ画像Ｃの非表示画像Ｑをマスク画像Ｍに置き換えてキャプチャ補正画像Ｃｍを生成する。マスク処理部２３は、画像比較部２４に接続され、生成したキャプチャ補正画像Ｃｍを画像比較部２４に出力する。
【００２５】
画像比較部２４は、画像を比較して検証するものである。画像比較部２４は、基準画像Ｂに基づいてキャプチャ補正画像Ｃｍを検証する。画像比較部２４は、マスク処理部２３に接続され、当該マスク処理部２３からキャプチャ補正画像Ｃｍが出力される。また、画像比較部２４は、データ記憶装置２１に接続され、当該データ記憶装置２１から基準画像Ｂを取得する。画像比較部２４は、基準画像Ｂとキャプチャ補正画像Ｃｍとを比較して検証した検証結果をデータ記憶装置２１に出力する。画像比較部２４は、基準画像Ｂの全体とキャプチャ補正画像Ｃｍの全体とを比較する。画像比較部２４は、例えば、基準画像Ｂを複数のブロックに分割し、同様に、キャプチャ補正画像Ｃｍを複数のブロックに分割する。そして、画像比較部２４は、基準画像Ｂの各ブロックとキャプチャ補正画像Ｃｍの各ブロックとを順番に全域に渡って比較し、それぞれのブロックの画像が一致するか否かを判定する。なお、画像比較部２４は、このようなブロックに分割して画像を比較する以外の方法により比較してもよい。画像比較部２４は、各ブロックにおいて画素単位で比較し、それぞれの画素が一致するか否かを判定する。画像比較部２４は、キャプチャ補正画像Ｃｍが基準画像Ｂに一致する場合、キャプチャ補正画像Ｃｍの表示画像Ｐが適正であることを示す検証結果をデータ記憶装置２１に出力する。画像比較部２４は、キャプチャ補正画像Ｃｍが基準画像Ｂに一致しない場合、キャプチャ補正画像Ｃｍの表示画像Ｐが適正でないことを示す検証結果をデータ記憶装置２１に出力する。
【００２６】
次に、図７を参照して、画像検証装置２０の動作例について説明する。画像検証装置２０は、例えば、車載メータ１０を出荷する前に表示画像Ｐを検証する。なお、画像検証装置２０は、車載メータ１０を出荷する前に限定されず、例えば、車載メータ１０に表示する表示画像Ｐを新たに追加した場合（表示画像Ｐのバージョンアップした場合）に表示画像Ｐを検証してもよい。
【００２７】
画像検証装置２０の画像比較部２４は、データ記憶装置２１を参照して基準画像Ｂを取得する（ステップＳ１）。次に、画像入力装置２２は、データ記憶装置２１を参照してマスク画像Ｍを取得する（ステップＳ２）。次に、画像入力装置２２は、キャプチャ画像Ｃを取得する（ステップＳ３）。画像入力装置２２は、例えば、画像キャプチャ装置１２から転送されたキャプチャ画像Ｃを入力する。次に、マスク処理部２３は、キャプチャ補正画像Ｃｍを生成する（ステップＳ４）。マスク処理部２３は、例えば、キャプチャ画像Ｃの非表示画像Ｑをマスク画像Ｍによりマスク処理してキャプチャ補正画像Ｃｍを生成する。次に、画像比較部２４は、基準画像Ｂとキャプチャ補正画像Ｃｍとが一致するか否かを判定する（ステップＳ５）。画像比較部２４は、基準画像Ｂとキャプチャ補正画像Ｃｍとが一致する場合（ステップＳ５；Ｙｅｓ）、キャプチャ補正画像Ｃｍの表示画像Ｐが適正であると判定し（ステップＳ６）、表示画像Ｐが適正であることを示す検証結果をデータ記憶装置２１に出力する。データ記憶装置２１は、画像比較部２４から出力された検証結果を記憶する。画像比較部２４は、基準画像Ｂとキャプチャ補正画像Ｃｍとが一致しない場合（ステップＳ５；Ｎｏ）、キャプチャ補正画像Ｃｍの表示画像Ｐが適正でないと判定し（ステップＳ７）、表示画像Ｐが適正でないことを示す検証結果をデータ記憶装置２１に出力する。データ記憶装置２１は、画像比較部２４から出力された検証結果を記憶する。
【００２８】
以上のように、実施形態に係る画像検証システム１は、車載メータ１０と、画像検証装置２０とを備える。車載メータ１０は、画像生成部１１、ディスプレイ１３、及び、画像キャプチャ装置１２を有する。画像生成部１１は、矩形状とは異なる形状の表示画像Ｐを生成する。ディスプレイ１３は、画像生成部１１により生成された表示画像Ｐを表示する。画像キャプチャ装置１２は、画像生成部１１により生成されディスプレイ１３に入力される表示画像Ｐを含む矩形状のキャプチャ画像Ｃを外部に転送する。画像検証装置２０は、画像入力装置２２、マスク処理部２３、及び、画像比較部２４を有する。画像入力装置２２は、転送部から転送されたキャプチャ画像Ｃを入力する。マスク処理部２３は、画像入力装置２２により入力したキャプチャ画像Ｃにおいて、表示画像Ｐ以外の部分をマスク処理したキャプチャ補正画像Ｃｍを生成する。画像比較部２４は、予め定められた矩形状の基準画像Ｂに基づいて、マスク処理部２３により生成されたキャプチャ補正画像Ｃｍを検証する。
【００２９】
この構成により、画像検証システム１は、表示画像Ｐ以外の部分をマスク処理するので、画素値が不定である非表示画像Ｑが含まれないキャプチャ補正画像Ｃｍを生成することができる。これにより、画像検証システム１は、予め定められた基準画像Ｂとキャプチャ補正画像Ｃｍとを比較することにより、キャプチャ補正画像Ｃｍに含まれる表示画像Ｐが適正に生成されているか否かを判定することができる。このように、画像検証システム１は、矩形状の基準画像Ｂの全体と矩形状のキャプチャ補正画像Ｃｍの全体とを比較することによりキャプチャ補正画像Ｃｍの表示画像Ｐを検証する。これにより、画像検証システム１は、従来の矩形状のキャプチャ画像Ｃを検証する検証ロジックを適用することができ、検証作業を簡素化することができる。つまり、画像検証システム１は、楕円形の表示画像Ｐのように矩形状とは異なる表示画像Ｐを検証する場合に、複雑な検証ロジックを不要とすることができる。この結果、画像検証システム１は、表示画像Ｐを適正に検証することができる。
【００３０】
上記画像検証システム１において、キャプチャ画像Ｃは、表示画像Ｐ、及び、表示画像Ｐ以外の部分に位置しディスプレイ１３に表示されない非表示画像Ｑを含んで構成され、表示画像Ｐと非表示画像Ｑとによって矩形状を成す。基準画像Ｂは、予め定められ表示画像Ｐの基準となる基準表示画像Ｐｂ、及び、予め定められたマスク画像Ｍを含んで構成される。マスク処理部２３は、画像入力装置２２により入力したキャプチャ画像Ｃにおいて非表示画像Ｑをマスク画像Ｍによりマスク処理してキャプチャ補正画像Ｃｍを生成する。この構成により、画像検証システム１は、基準画像Ｂの全体とキャプチャ補正画像Ｃｍの全体とを比較し、基準画像Ｂとキャプチャ補正画像Ｃｍとが一致した場合、キャプチャ補正画像Ｃｍの表示画像Ｐが適正であると判定することができる。従って、画像検証システム１は、単純な検証ロジックで表示画像Ｐを検証することができる。
【００３１】
上記画像検証システム１において、画像キャプチャ装置１２は、同一の表示画像Ｐが連続して生成される場合、既に転送済みの表示画像Ｐと同一の表示画像Ｐを転送しない。この構成により、画像検証システム１は、同一の表示画像Ｐが連続して生成される場合、例えば、最初の表示画像Ｐを転送し残りの表示画像Ｐを転送しないようにすることができる。この転送により、画像検証システム１は、同一の表示画像Ｐを何度も比較する処理を省略することができ、演算処理負荷を軽減することができる。
【００３２】
上記画像検証システム１において、車載メータ１０は、車両に搭載される。ディスプレイ１３は、少なくとも車両の計測値に関する表示画像Ｐを表示する。画像検証システム１は、車載メータ１０に適用することで、当該車載メータ１０表示画像Ｐを検証することができる。
【００３３】
実施形態に係る画像検証装置２０は、画像入力装置２２と、マスク処理部２３と、画像比較部２４とを備える。車載メータ１０は、矩形状とは異なる形状の表示画像Ｐを生成し、生成された表示画像Ｐを表示し、表示画像Ｐを表示する場合に入力される表示画像Ｐを含む矩形状のキャプチャ画像Ｃを外部に転送する。画像入力装置２２は、車載メータ１０から転送されたキャプチャ画像Ｃを入力する。マスク処理部２３は、画像入力装置２２により入力したキャプチャ画像Ｃにおいて表示画像Ｐ以外の部分をマスク処理したキャプチャ補正画像Ｃｍを生成する。画像比較部２４は、予め定められた矩形状の基準画像Ｂに基づいてマスク処理部２３により生成されたキャプチャ補正画像Ｃｍを検証する。この構成により、画像検証装置２０は、上記画像検証システム１と同等の効果を奏することができる。
【００３４】
なお、画像生成部１１は、楕円形の表示画像Ｐを生成する例について説明したが、これに限定されず、他の形状の表示画像Ｐであってもよい。
【符号の説明】
【００３５】
１  画像検証システム
１０  車載メータ（表示装置）
１１  画像生成部
１２  画像キャプチャ装置（転送部）
１３  ディスプレイ（表示部）
２０  画像検証装置
２２  画像入力装置（入力部）
２３  マスク処理部
２４  画像比較部（検証部）
Ｂ  基準画像
Ｃ  キャプチャ画像
Ｃｍ  キャプチャ補正画像
Ｍ  マスク画像
Ｐ  表示画像
Ｐｂ  基準表示画像
Ｑ  非表示画像
【図１】
2019113927.tif 000003
【図２】
2019113927.tif 000004
【図３】
2019113927.tif 000005
【図４】
2019113927.tif 000006
【図５】
2019113927.tif 000007
【図６】
2019113927.tif 000008
【図７】
2019113927.tif 000009